(57)【要約】【課題】高所作業車のバケットへの虫の侵入を防止する高所作業車のバケットへの侵入防止具を提供すること。【解決手段】高所作業車１に備えられるバケット３への侵入を防止する高所作業車のバケットへの侵入防止具８であって、バケット３の開口部３１を覆うことが可能な網部８１と、開口部３１を覆う閉止位置と開口部３１を開放する開放位置とに網部８１を移動させることが可能な網部移動機構８２と、を備える高所作業車のバケットへの侵入防止具８。【選択図】図２
2018090377.tif 000002
【特許請求の範囲】
【請求項１】
高所作業車に備えられるバケットへの侵入を防止する高所作業車のバケットへの侵入防止具であって、
前記バケットの開口部を覆うことが可能な網部と、
前記開口部を覆う閉止位置と前記開口部を開放する開放位置とに前記網部を移動させることが可能な網部移動機構と、を備える高所作業車のバケットへの侵入防止具。
【請求項２】
前記高所作業車は、前記バケットの近傍に配置されると共に前記バケットの移動を操作可能な操作部と、前記操作部が配置される操作部配置部と、備え、
前記網部移動機構において前記網部が前記閉止位置に位置する場合に、前記バケットと前記操作部配置部との間に垣根がないように、前記バケットの内部と前記操作部配置部とが連通するように構成される請求項１に記載の高所作業車のバケットへの侵入防止具。
【請求項３】
前記侵入防止具は、前記バケットの外部を監視する監視手段を更に備える請求項１又は２に記載の高所作業車のバケットへの侵入防止具。
【請求項４】
前記網部移動機構は、前記網部が接続されると共に前記バケットの一端部側と他端部側との間を移動可能に前記バケットに回動可能に取り付けられる回動部材を有し、
前記回動部材は、前記網部が前記開放位置に位置する場合に前記バケットの一端部側に位置し、前記網部が前記閉止位置に位置する場合に前記バケットの他端部側に位置し、
前記網部は、前記開放位置に位置する場合には畳まれており、前記開放位置から前記閉止位置に移動した場合には、前記バケットの一端部側から他端部側に亘って、前記開口部を覆うように構成される請求項１から３のいずれかに記載の高所作業車のバケットへの侵入防止具。
【発明の詳細な説明】
【技術分野】
【０００１】
本発明は、高所作業車に備えられるバケットへの蜂などの虫の侵入を防止する高所作業車のバケットへの侵入防止具に関する。
【背景技術】
【０００２】
従来、高所作業車のバケットに作業者が乗って高所で作業する場合に、蜂が飛来したときには、バケットの内部で身を低くして屈んだ状態で、バケットの内部に隠れていた。しかし、バケットの内部に蜂が侵入する可能性がある。また、近くに蜂の巣があり、バケットの内部に複数匹の蜂が侵入した場合には、バケットの内部には逃げる場所がないため、蜂に刺される可能性が高くなる。
ところで、不意の雨などで濡れないために、バケットの開口部を、ナイロンシートなどで形成されたテントで覆うように構成する技術が開示されている（例えば、特許文献１参照）。
【先行技術文献】
【特許文献】
【０００３】
【特許文献１】特開２００８−２３９２６１号公報
【発明の概要】
【発明が解決しようとする課題】
【０００４】
特許文献１に記載の技術は、蜂などの虫のバケットへの侵入を防止するための技術ではない。
【０００５】
本発明は、高所作業車のバケットへの虫の侵入を防止する高所作業車のバケットへの侵入防止具を提供することを目的とする。
【課題を解決するための手段】
【０００６】
（１）高所作業車に備えられるバケットへの侵入を防止する高所作業車のバケットへの侵入防止具であって、前記バケットの開口部を覆うことが可能な網部と、前記開口部を覆う閉止位置と前記開口部を開放する開放位置とに前記網部を移動させることが可能な網部移動機構と、を備える高所作業車のバケットへの侵入防止具に関する。
【０００７】
（２）前記高所作業車は、前記バケットの近傍に配置されると共に前記バケットの移動を操作可能な操作部と、前記操作部が配置される操作部配置部と、備え、前記網部移動機構において前記網部が前記閉止位置に位置する場合に、前記バケットと前記操作部配置部との間に垣根がないように、前記バケットの内部と前記操作部配置部とが連通するように構成されることが好ましい。
【０００８】
（３）前記侵入防止具は、前記バケットの外部を監視する監視手段を更に備えることが好ましい。
【０００９】
（４）前記網部移動機構は、前記網部が接続されると共に前記バケットの一端部側と他端部側との間を移動可能に前記バケットに回動可能に取り付けられる回動部材を有し、前記回動部材は、前記網部が前記開放位置に位置する場合に前記バケットの一端部側に位置し、前記網部が前記閉止位置に位置する場合に前記バケットの他端部側に位置し、前記網部は、前記開放位置に位置する場合には畳まれており、前記開放位置から前記閉止位置に移動した場合には、前記バケットの一端部側から他端部側に亘って、前記開口部を覆うように構成されることが好ましい。
【発明の効果】
【００１０】
本発明によれば、高所作業車のバケットへの虫の侵入を防止する高所作業車のバケットへの侵入防止具を提供することができる。
【図面の簡単な説明】
【００１１】
【図１】本発明の第１実施形態のバケットが備えられる高所作業車の全体構成を示す図である。
【図２】バケット及びバケット側操作部を備えた構成において、侵入防止具を示す斜視図である。
【図３】網部が開放位置に位置する場合を示す断面図である。
【図４】網部が閉止位置に位置する場合を示す断面図である。
【図５】網部が閉止位置に位置する場合を示す平面図である。
【図６】第２実施形態における侵入防止具において、網部が開放位置に位置する場合を示す断面図である。
【図７】第２実施形態における侵入防止具において、網部が閉止位置に位置する場合を示す断面図である。
【図８】変形形態を示す図であって、監視手段のモニタを、バケット側操作部が配置される操作部配置部の上面（上部）に配置した場合を示す斜視図である。
【発明を実施するための形態】
【００１２】
（第１実施形態）
以下、本発明の第１実施形態について説明する。
図１は、本発明の第１実施形態のバケット３が備えられる高所作業車１の全体構成を示す図である。図２は、バケット３及びバケット側操作部４を備えた構成において、侵入防止具８を示す斜視図である。図３は、網部８１が開放位置に位置する場合を示す断面図である。図４は、網部８１が閉止位置に位置する場合を示す断面図である。図５は、網部８１が閉止位置に位置する場合を示す平面図である。
【００１３】
図１に示すように、高所作業車１は、車両本体２と、バケット３と、バケット側操作部４（操作部）が配置される操作部配置部５と、バケット３を支持すると共にバケット３を移動させる長尺のアーム６と、アーム６を伸縮させたり回動させることでバケット３を移動させる駆動機構（不図示）と、バケット３を地上側で操作するための地上側操作部７１が配置された操縦席７と、バケット３への蜂などの虫の侵入を防止する侵入防止具８と、を備える。本実施形態の高所作業車１においては、操縦席７における地上側操作部７１を操作することや、バケット３に乗った状態でバケット側操作部４を操作することで、バケット３を移動させる操作が可能である。
【００１４】
バケット３は、図２に示すように、上面が開放された開口部３１を有し、箱状に形成される。バケット３には、作業者が乗ることが可能であり、作業者は、バケット３に乗った状態で作業を行う。バケット３の一端部側の第１辺１１ａに沿って、網部８１が配置される。バケット３の他端部側の上部側には、操作部配置部５が配置される。
【００１５】
操作部配置部５は、上面が開放された開口部５１を有し、バケット３よりも深さが浅い箱状に形成される。バケット３の開口部３１と操作部配置部５の開口部５１とは、バケット３の開口部３１及び操作部配置部５の開口部５１を塞ぐように網部８１が閉止位置に位置する場合に、水平方向において連通している（図４参照）。バケット３及び操作部配置部５の周囲を囲むように、バケット３の開口部３１及び操作部配置部５の開口部５１を形成する周壁部１１が形成されている。周壁部１１は、図３に示すように、全周に亘って高さＨ１の高さで形成されている。
【００１６】
本実施形態においては、図２に示すように、周壁部１１の上端部の外側における網部８１が配置される側の一端部側の辺を第１辺１１ａといい、周壁部１１の上端部の外側における操作部配置部５が配置される他端部側の辺を第２辺１１ｂといい、周壁部１１の上端部の外側における第１辺１１ａ及び第２辺１１ｂに直交する一対の側部の辺を一対の側辺１１ｃ，１１ｃという。
【００１７】
操作部配置部５には、図２に示すように、バケット側操作部４が配置される。バケット側操作部４は、バケット３の近傍に配置されると共に、バケット３の移動を操作可能である。バケット側操作部４は、バケット３の近傍に配置されればよい。バケット３の近傍とは、バケット３に乗った作業者が操作部配置部５に配置されたバケット側操作部４の操作を行うことが可能な程度に、バケット３に近い位置にバケット側操作部４が配置されていることを意味する。操作部配置部５は、バケット３と一体的に形成されていてもよいし、バケット３と別体で形成され且つバケット３に接続されていてもよい。
【００１８】
操作部配置部５とバケット３との間には、壁部９が立ちあがるように設けられている。壁部９の高さＨ２は、図３に示すように、バケット３及び操作部配置部５の周縁の周壁部１１の高さＨ１よりも低く形成されている。壁部の高さＨ２は、バケット３の開口部３１及び操作部配置部５の開口部５１が網部８１で閉止された場合に、バケット側操作部４を操作可能な高さに形成されている。つまり、バケット３の開口部３１及び操作部配置部５の開口部５１を塞ぐように網部８１が閉止位置に位置する場合に、バケット３と操作部配置部５との間に垣根がないように、バケット３の内部と操作部配置部５とが連通する。なお、本実施形態では壁部９を設けたが、これに限定されず、壁部を設けなくてもよく、壁部がない状態で、バケット３と操作部配置部５とが接続されていてもよい。
【００１９】
侵入防止具８は、バケット３への蜂などの虫の侵入を防止する。侵入防止具８は、図２に示すように、網部８１と、網部移動機構８２と、監視手段８３と、を備える。
【００２０】
網部移動機構８２は、バケット３の開口部３１を覆う閉止位置（図４参照）とバケット３の開口部３１を開放する開放位置（図３参照）とに網部８１を移動させることが可能である。網部移動機構８２は、コ字形状のコ字状回動部材８２１（回動部材）と、網収納保持部８２２と、を有する。
【００２１】
コ字状回動部材８２１には、図２に示すように、網部８１が接続されると共に、バケット３の一端部側の第１辺１１ａと他端部側の第２辺１１ｂとの間を移動可能にバケット３に回動可能に取り付けられる。コ字状回動部材８２１は、図２に示すように、棒状把持部８２１ａと、一対の棒状回動腕部８２１ｂ，８２１ｂと、を有する。コ字状回動部材８２１は、棒状把持部８２１ａが、バケット３の一端部側の第１辺１１ａと他端部側の第２辺１１ｂとの間を移動可能にバケット３に回動可能に取り付けられる。
【００２２】
棒状把持部８２１ａは、図２及び図３に示すように、棒状に形成され、バケット３の上端部における一端部側の第１辺１１ａの外側において、バケット３の一端部側の第１辺１１ａに沿って、バケット３の第１辺１１ａの全域に亘って延びる。棒状把持部８２１ａには、バケット３の一端部側の第１辺１１ａに沿って、網部８１の一端側が接続されている。
【００２３】
一対の棒状回動腕部８２１ｂ，８２１ｂは、図２及び図３に示すように、棒状に形成され、棒状把持部８２１ａの両端部から、それぞれ、棒状把持部８２１ａに直交する方向に延びる。棒状回動腕部８２１ｂ，８２１ｂの一端側は、棒状把持部８２１ａの端部に接続される。棒状回動腕部８２１ｂ，８２１ｂの他端側は、バケット３の上端部における一対の側辺１１ｃ，１１ｃの略中央において、回動軸Ｊを中心に回動可能に支持される。
【００２４】
網部８１は、バケット３の開口部３１を覆うことが可能に構成される。網部８１は、バケット３の一端部側の第１辺１１ａ側に配置される。網部８１は、バケット３の開口部３１及び操作部配置部５の開口部５１を塞ぐ大きさに形成される。網部８１は、一端側が棒状把持部８２１ａに接続されると共に、他端側が後述する網収納保持部８２２の垂直板部８２２ｂの上面に接続される。
【００２５】
作業者が棒状把持部８２１ａを把持して、コ字状回動部材８２１を回動軸Ｊを中心に回動させることで、棒状把持部８２１ａに接続された網部８１が、バケット３の開口部３１を開放する開放位置と、バケット３の開口部３１を覆う閉止位置と、に移動可能である。
【００２６】
コ字状回動部材８２１は、網部８１が開放位置に位置する場合にバケット３の一端部側の第１辺１１ａ側に位置し、網部８１が閉止位置に位置する場合にバケット３の他端部側の第２辺１１ｂ側に位置する。
【００２７】
網部８１は、開放位置に位置する場合には畳まれており、開放位置から閉止位置に移動した場合には、バケット３の一端部側の第１辺１１ａ側から引き出されて、バケット３の一端部側の第１辺１１ａ側から他端部側の第２辺１１ｂ側に亘って、開口部３１を覆う。
【００２８】
網収納保持部８２２は、棒状把持部８２１ａの下方に配置され、バケット３の一端部側の第１辺１１ａ側の側面に固定されている。網収納保持部８２２は、略Ｌ字形状に形成され、水平板部８２２ａと、垂直板部８２２ｂと、を有する。
【００２９】
水平板部８２２ａは、水平方向に広がり且つ第１辺１１ａが延びる方向に細長い長方形状の板材により形成される。水平板部８２２ａは、一端部がバケット３の側面に固定されており、他端部が垂直板部８２２ｂの下端部に接続されている。
垂直板部８２２ｂは、水平板部８２２ａの他端部から垂直方向に延び且つ第１辺１１ａが延びる方向に細長い長方形状の板材により形成される。垂直板部８２２ｂの上端部には、網部８１が開放位置に位置する場合に、棒状把持部８２１ａの下面が当接する。これにより、垂直板部８２２ｂは、上端部において、コ字状回動部材８２１を支持する。網収納保持部８２２の上方側には、網部８１が開放位置に位置する場合に、網部８１が畳まれた状態で収納される。
【００３０】
監視手段８３は、バケット３の外部を監視する。監視手段８３は、複数のカメラ８３１と、モニタ８３２と、を備える。複数のカメラ８３１は、バケット３の外部の側面に取り付けられ、バケット３の周囲を撮影可能に配置されている。モニタ８３２は、バケット３の内部において、バケット側操作部４（操作部）が配置される操作部配置部５よりも下方の側面に取り付けられ、複数のカメラ８３１により撮影された撮影画像を表示する。網部８１でバケット３の開口部３１が覆われた状態において、作業者がバケット３の内部に屈んだ状態で、バケット３に乗った作業者がモニタ８３２に表示されたカメラ８３１の撮影画像を見ながら、バケット側操作部４を操作して、バケット３を移動させることができる。
【００３１】
第１実施形態の侵入防止具８の使用方法について説明する。
作業者がバケット３に乗った状態で作業している場合に、作業者が、バケット３の周辺に蜂などの虫の飛来に気づいたときに、コ字状回動部材８２１の棒状把持部８２１ａを把持して、コ字状回動部材８２１を、バケット３の一端部側の第１辺１１ａ側から他端部側の第２辺１１ｂ側に反転させるように、回動軸Ｊを中心に回動させる。この際、作業者は、バケット３の内部において屈んだ状態である。
【００３２】
本発明における第１実施形態の侵入防止具８によれば、次のような効果が奏される。
（１）第１実施形態の侵入防止具８は、バケット３の開口部３１を覆うことが可能な網部８１を備えるため、蜂などの虫が飛来してきても、網部８１でバケット３の開口部３１を覆うことで、バケット３への蜂の侵入を防げる。
（２）網部８１が閉止位置に位置された場合に、バケット３の内部と操作部配置部５とが連通するように構成されるため、バケット側操作部４を操作することで、バケット３を移動させることができる。これにより、バケット３への蜂の侵入を防ぎつつ、バケット３を地上まで移動させることができる。
（３）監視手段８３を設けたため、網部８１でバケット３の開口部３１を覆うことでバケット３の外部の状況を確認しにくい状況であっても、監視手段８３により、バケット３の外部の状況を確認できる。これにより、網部８１でバケット３の開口部３１を覆った状態で、バケット３の外部の状況を確認しながら、バケット３を地上まで移動させることができる。具体的には、網部８１でバケット３の開口部３１を覆った状態において、作業者がバケット３の内部に屈んだ状態で、バケット３に乗った作業者がモニタ８３２に表示されたカメラ８３１の撮影画像を見ながら、バケット側操作部４を操作して、バケット３を移動させることができる。
（４）コ字状回動部材８２１を回動させるだけで、コ字状回動部材８２１に接続された網部８１により、バケット３の開口部３１を覆うことができる。そのため、バケット３に蜂などの虫が飛来した場合に、コ字状回動部材８２１を棒状把持部８２１ａを把持して回動軸Ｊを中心に回動させるだけで、容易に、いち早く、バケット３の開口部３１を覆うことができる。
【００３３】
（第２実施形態）
以下、本発明の第２実施形態について説明する。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。図６は、第２実施形態における侵入防止具８０において、網部８１Ａ，８１Ｂが開放位置に位置する場合を示す断面図である。図７は、第２実施形態における侵入防止具８０において、網部８１Ａ，８１Ｂが閉止位置に位置する場合を示す断面図である。
【００３４】
第２実施形態の侵入防止具８０は、第１実施形態において網部８１及び網部移動機構８２をバケット３の一方側にのみ設けていたのに対して、バケット３の一方側及び他方側の両方側に設ける点において、第１実施形態と主に異なる。
【００３５】
第２実施形態の侵入防止具８０は、図６及び図７に示すように、網部８１Ａ及び網部移動機構８２Ａと、網部８１Ｂ及び網部移動機構８２Ｂと、を備える。網部８１Ａ及び網部移動機構８２Ａは、バケット３の一方側に設けられ、網部８１Ｂ及び網部移動機構８２Ｂは、バケット３の他方側に設けられている。網部８１Ａ及び網部移動機構８２Ａと、網部８１Ｂ及び網部移動機構８２Ｂとは、バケット３を挟んで対称に構成される。網部８１Ａ及び網部移動機構８２Ａと、網部８１Ｂ及び網部移動機構８２Ｂとは、対称に構成される点以外は同様の構成である。
【００３６】
一方側の網部８１Ａ及び網部移動機構８２Ａは、バケット３の一端部側の第１辺１１ａ側に設けられる。他方側の網部８１Ｂ及び網部移動機構８２Ｂは、バケット３の他端部側の第２辺１１ｂ側に設けられる。
【００３７】
網部移動機構８２Ａは、コ字形状のコ字状回動部材８２１と、網収納保持部８２２と、を有する。網部移動機構８２Ｂは、コ字形状のコ字状回動部材８２１と、網収納保持部８２２と、を有する。コ字状回動部材８２１は、棒状把持部８２１ａと、一対の棒状回動腕部８２１ｂ，８２１ｂと、を有する。網部移動機構８２Ａ，８２Ｂの構成は、第１実施形態の網部移動機構８２の構成と同様であるため、その説明を省略する。
【００３８】
網部移動機構８２Ａのコ字状回動部材８２１と網部移動機構８２Ｂのコ字状回動部材８２１とは、互いが近づくように、バケット３の側辺１１ｃの中央部側に、回動軸Ｊ１，Ｊ２を中心に回動させることで、図７に示すように、バケット３の側辺１１ｃの中央部の上方において、網部移動機構８２Ａ及び網部移動機構８２Ｂにおいて、棒状把持部８２１ａ及び一対の棒状回動腕部８２１ｂ，８２１ｂ同士を当接（対向）させることができる。この状態で、棒状把持部８２１ａ及び一対の棒状回動腕部８２１ｂ，８２１ｂ同士を固定する。網部移動機構８２Ａ及び網部移動機構８２Ｂにおいて、棒状把持部８２１ａ及び一対の棒状回動腕部８２１ｂ，８２１ｂ同士を固定する固定手段としては、例えば、フック、面ファスナー等が挙げられる。
【００３９】
網部８１Ａ、８１Ｂは、図６及び図７に示すように、網部本体８１１と、側部網部８１２と、を有する。
網部本体８１１は、バケット３の開口部３１の上方を覆うことが可能に構成される。網部本体８１１は、コ字状回動部材８２１の棒状把持部８２１ａに接続されている。網部本体８１１は、網部移動機構８２Ａのコ字状回動部材８２１と網部移動機構８２Ｂのコ字状回動部材８２１とを回動させて当接（対向）させた状態において、バケット３の側辺１１ｃの中央部から端部に向かうにしたがって上方から下方に傾斜するように配置される。網部本体８１１は、網部移動機構８２Ａのコ字状回動部材８２１と網部移動機構８２Ｂのコ字状回動部材８２１とを回動させて当接（対向）させた状態において、バケット３の開口部３１の上方を覆う大きさに形成される。
【００４０】
側部網部８１２は、網部移動機構８２Ａのコ字状回動部材８２１と網部移動機構８２Ｂのコ字状回動部材８２１とを回動させて当接させた状態において、棒状把持部８２１ａと網部本体８１１と間の側部の開口を覆う。側部網部８１２は、コ字状回動部材８２１の一対の棒状回動腕部８２１ｂ，８２１ｂの下部に、一対の棒状回動腕部８２１ｂ，８２１ｂの長さ方向の略全域に亘って接続されている。側部網部８１２は、網部移動機構８２Ａのコ字状回動部材８２１と網部移動機構８２Ｂのコ字状回動部材８２１とを回動させて当接させた状態において、棒状把持部８２１ａと網部本体８１１と間の側部の開口を覆う大きさに形成される。
【００４１】
本発明における第２実施形態の侵入防止具８０によれば、前記第１実施形態の（１）〜（４）と同様の効果を奏すると共に、次のような効果を奏する。
（５）網部移動機構８２Ａのコ字状回動部材８２１と網部移動機構８２Ｂのコ字状回動部材８２１とを回動させてバケット３の上方側で互いを当接（対向）させた状態で、網部８１Ａ、８１Ｂでバケット３の開口部３１を覆うため、バケット３の上方側に空間を確保することできる。これにより、作業者が立った状態や中腰の状態で、バケット３の開口部３１を網部８１Ａ、８１Ｂで覆うことができる。よって、バケット３の開口部３１を網部８１Ａ、８１Ｂで覆っていても、作業者がバケット３の外部の状況を確認しやすくなる。
【００４２】
以上、好適な実施形態について説明したが、本発明は前述した実施形態に限定されることなく種々の形態で実施することができる。
例えば、第１実施形態及び第２実施形態においては、監視手段８３のモニタ８３２を、バケット３の内部において、バケット側操作部４が配置される操作部配置部５よりも下方の側面に取り付けたが、これに限定されない。例えば、図２に示す第１実施形態の監視手段８３のモニタ８３２に代えて、図８の変形形態に示すように、監視手段８３のモニタ８３２Ａを、バケット側操作部４が配置される操作部配置部５の上面（上部）に配置してもよい。この場合には、操作部配置部５の上面（上部）のモニタ８３２Ａに視線が向きやすいため、モニタ８３２Ａを見やすい位置に配置した状態で、バケット側操作部４を操作できる。これにより、バケット側操作部４の操作性を向上できる。なお、第２実施形態においても同様の構成を適用できる。
【符号の説明】
【００４３】
１  高所作業車
３  バケット
４  バケット側操作部（操作部）
５  操作部配置部
８  侵入防止具
３１  開口部
８１  網部
８２  網部移動機構
８３  監視手段
８２１  コ字状回動部材（回動部材）
【図１】
2018090377.tif 000003
【図２】
2018090377.tif 000004
【図３】
2018090377.tif 000005
【図４】
2018090377.tif 000006
【図５】
2018090377.tif 000007
【図６】
2018090377.tif 000008
【図７】
2018090377.tif 000009
【図８】
2018090377.tif 000010